(57)【要約】【課題】  遠隔診断において所望の画像を得るための探触子の位置決めをコストをかけず、かつ迅速に行えるようにする。【解決手段】  本発明は、遠隔地にある遠隔指示装置とデータ通信を行うための通信部と、被験者に超音波を照射し、反射波を受波するための探触子と、前記探触子に超音波を送信し、前記探触子からのエコー信号を受信して超音波スキャンデータを生成するための超音波送受信部と、前記遠隔指示装置からの指示を文字、数字、符号または記号による表記によって表示するための指示表示部と、前記遠隔指示装置からの指示を前記通信部を介して受信すると、前記指示表示部に表示させ、前記指示に従って前記被験者が前記探触子を操作することによって前記超音波送受信部において生成した超音波スキャンデータを前記通信部を介して前記遠隔指示装置へ送信する、制御部とを備える、超音波診断装置を提供する。【選択図】  図１
2006115986.tif 000002
【特許請求の範囲】
【請求項１】
被験者が操作する超音波診断装置と、当該超音波診断装置とデータ通信可能に接続された、診断者が操作する遠隔指示装置とを含む遠隔超音波診断システムであって、
前記超音波診断装置は、
第１の通信部と、
探触子と、
超音波送受信部と、
指示表示部と、
第１の制御部とを少なくとも備え、
前記遠隔指示装置は、
第２の通信部と、
第２の画像表示部と、
操作／指示入力部と、
第２の制御部とを少なくとも備え、
第２の制御部は、前記診断者が前記操作／指示入力部から入力した前記探触子の操作方法に関する指示を第２の通信部を介して前記超音波診断装置へ送信し、
第１の制御部は、前記探触子の操作方法に関する指示を第１の通信部を介して受信すると、前記指示表示部に文字、数字、符号または記号による表記によって表示させ、当該指示に従って前記被験者が前記探触子を操作することによって前記超音波送受信部で生成された超音波スキャンデータを、第１の通信部を介して前記遠隔指示装置に送信し、
第２の制御部は、前記超音波スキャンデータを第２の通信部を介して受信すると、当該データに基づいて超音波画像を生成し第２の画像表示部に表示させる、遠隔超音波診断システム。
【請求項２】
前記遠隔指示装置は第２の記憶部をさらに備え、前記超音波スキャンデータを第２の記憶部に保存する、請求項１に記載の遠隔超音波診断システム。
【請求項３】
前記指示表示部は、前記探触子上に設けられている、請求項１に記載の遠隔超音波診断システム。
【請求項４】
前記超音波診断装置は、前記超音波送受信部で生成された超音波スキャンデータを超音波画像として表示するための第１の画像表示部をさらに備え、前記指示表示部は、第１の画像表示部と一体化されている、請求項１に記載の遠隔超音波診断システム。
【請求項５】
前記超音波診断装置と前記遠隔指示装置とはインターネットを介してデータ通信可能に接続されている、請求項１に記載の遠隔超音波診断システム。
【請求項６】
前記探触子は、一次元走査のみが可能な探触子である、請求項１に記載の遠隔超音波診断システム。
【請求項７】
前記指示表示部は、発光表示手段によって構成されている、請求項１に記載の遠隔超音波診断システム。
【請求項８】
前記探触子の操作方法に関する指示が、光の色の違いによって区別される、請求項７に記載の遠隔超音波診断システム。
【請求項９】
前記探触子の操作方法に関する指示が、光の点滅間隔または輝度の違いによって区別される、請求項７に記載の遠隔超音波診断システム。
【請求項１０】
前記超音波診断装置は、さらに探触子位置検出部を備え、
第１の制御部は、前記被験者が探触子を移動させながら走査した複数の超音波スキャンデータと、前記探触子位置検出部によって得られた前記探触子の移動量に関するデータとを、第１の通信部を介して前記遠隔指示装置へ送信し、
第２の制御部は、前記複数の超音波スキャンデータと前記探触子の移動量に関するデータとを第２の通信部を介して受信すると、これらのデータに基づいて３次元超音波画像を生成し第２の画像表示部に表示させる、請求項１に記載の遠隔超音波診断システム。
【請求項１１】
前記遠隔指示装置の前記操作／指示入力部は、ダミー探触子およびダミー被検体を具備し、
第２の制御部は、前記診断者が当該ダミー探触子および当該ダミー被検体を操作することによって入力される信号に従って、前記３次元超音波画像から所望の２次元超音波画像を取得し、当該２次元超音波画像の位置情報から前記探触子の位置情報を取得して、それに基づいて前記探触子の操作方法に関する指示を、第２の通信部を介して前記超音波診断装置へ送信する、請求項１０に記載の遠隔超音波診断システム。
【請求項１２】
遠隔超音波診断に使用するための超音波診断装置であって、
遠隔地にある遠隔指示装置とデータ通信を行うための通信部と、
被験者に超音波を照射し、反射波を受波するための探触子と、
前記探触子に超音波を送信し、前記探触子からのエコー信号を受信して超音波スキャンデータを生成するための超音波送受信部と、
前記遠隔指示装置からの指示を文字、数字、符号または記号による表記によって表示するための指示表示部と、
前記遠隔指示装置からの指示を前記通信部を介して受信すると、前記指示表示部に表示させ、前記指示に従って前記被験者が前記探触子を操作することによって前記超音波送受信部において生成した超音波スキャンデータを前記通信部を介して前記遠隔指示装置へ送信する、制御部とを備える、超音波診断装置。
【請求項１３】
前記指示表示部は、前記探触子上に設けられている、請求項１２に記載の超音波診断装置。
【請求項１４】
前記指示表示部は、発光表示手段によって構成されている、請求項１２に記載の超音波診断装置。
【請求項１５】
前記超音波送受信部で生成された超音波スキャンデータを超音波画像として表示するための画像表示部をさらに備え、前記指示表示部は、当該画像表示部と一体化されている、請求項１２に記載の超音波診断装置。
【請求項１６】
遠隔超音波診断に使用するための遠隔指示装置であって、
遠隔地にある超音波診断装置とデータ通信を行うための通信部と、
前記超音波診断装置から送信された超音波スキャンデータを画像として表示するための画像表示部と、
診断者が前記画像表示部上での画像の操作を行い、遠隔地にある前記超音波診断装置の探触子の操作方法に関する指示を入力するための、ダミー探触子およびダミー被検体を具備する操作／指示入力部と、
前記診断者が前記ダミー探触子および前記ダミー被検体を用いて入力した信号に基づいて、前記探触子の操作方法に関する指示を前記通信部を介して前記超音波診断装置へ送信し、前記超音波診断装置からの前記超音波スキャンデータを前記通信部を介して受信すると超音波画像を生成して前記画像表示部に表示させる、制御部とを備える、遠隔指示装置。
【請求項１７】
前記超音波画像は、３次元超音波画像である、請求項１６に記載の遠隔指示装置。
【請求項１８】
前記制御部は、前記操作／指示入力部に入力された指示に従って、前記３次元超音波画像から２次元画像を切り出し、当該２次元画像のデータから前記探触子の操作方法に関する指示を生成する、請求項１７に記載の遠隔指示装置。
【発明の詳細な説明】
【技術分野】
【０００１】
本発明は、遠隔操作により画像診断を行うための超音波診断装置に関する。
【背景技術】
【０００２】
一般に、超音波診断装置を用いて被験者の診断をする際は、装置付近に被験者と操作者が位置し、操作者が探触子を被験者の患部付近に置き、超音波画像を見ながら探触子の位置を手技により調整し、被験者の所望の部位の画像を得る。
【０００３】
しかし、最近では、特許文献１に示されるように、診断装置は被験者の元に位置し、操作者（診断者）は被験者とは離れた遠隔地にあって、通信手段を介して診断装置から得た超音波画像をもとに、遠隔地から診断を行うというようなケースが増えてきている。
【０００４】
図１０は、特許文献１の遠隔診療に用いられる超音波診断装置を示すブロック図である。図１０に示されるように、特許文献１の超音波診断装置は、超音波診断装置本体１０１、第１の表示器１０２、走査２次元断面を探触子外部からの制御信号により任意に指定できる探触子１０３、走査面指定手段１０４、第２の表示器１０５、およびデータ転送手段１０６を備えている。超音波診断装置本体１０１を被験者が操作し、探触子１０３を被験者自身の身体に当て、第１の表示器１０２に画像を表示する。表示された画像のデータはデータ伝送手段１０６を介して遠隔地にいる医療関係者の元へ送られ、医療関係者は第２の画像表示器５においてその画像を見て診断する。遠隔地にいる医療関係者は、走査面指定手段１０４を操作することで、探触子１０３の２次元操作断面を決定する。ここで、特許文献１の探触子１０３は、探触子外部からの制御信号によって２次元走査を行い、３次元画像を得ることのできるものである（例えば、非特許文献１を参照）。走査面指定手段１０４は、探触子１０３を用いて１次元走査を行う場合の所望する走査面の指定を行うものである。
【特許文献１】特開平６−３２７６８１号公報
【非特許文献１】アイトリプルイー  トランザクションズ  オン  ウルトラソニックス、フェロエレクトリクス  アンド  フリーケンシーコントロール（ＩＥＥＥ  ＴＲＡＮＳＡＣＴＩＯＮＳ  ＯＮ  ＵＬＴＲＡＳＯＮＩＣＳ，  ＦＥＲＲＯＥＬＥＣＴＲＩＣＳ，  ＡＮＤ  ＦＲＥＱＵＥＮＣＹ  ＣＯＮＴＲＯＬ）第３８巻（Ｖｏｌ．３８）、第２号（Ｎｏ．２）（１９９１），ｐｐ１００−１０８
【発明の開示】
【発明が解決しようとする課題】
【０００５】
遠隔診断において被験者が診断装置を使用する場所は自宅であることが多く、複数の被験者を同時に診断することは少ないと考えられるため、各被験者の自宅に一台の診断装置を設置することが想定される。そのため、現実的な観点からは、診断装置は安価であることが求められる。
【０００６】
しかしながら、非特許文献１に記載されたような探触子は、２次元走査面を探触子外部からの制御信号により可変にするように制御する仕組みが必要であるため、高価なものになり現実的でないという問題があった。
【０００７】
一方、そのような仕組みを用いずに、操作者が電話のようなシステムを用いて口頭で被験者に指示を出し、それをもとに被験者が探触子の位置決定をすることは難しく、また能率的でないことは言うまでもない。
【０００８】
本発明は、これらの問題を解決し、操作者による指示および被験者による探触子の操作を容易にし、かつ遠隔診断用の超音波診断装置を安価にすることを目的とする。
【課題を解決するための手段】
【０００９】
本発明は第１の局面において、被験者が操作する超音波診断装置と、当該超音波診断装置とデータ通信可能に接続された、診断者が操作する遠隔指示装置とを含む遠隔超音波診断システムを提供する。
【００１０】
この遠隔超音波診断システムにおいて、上記超音波診断装置は、第１の通信部と、探触子と、超音波送受信部と、指示表示部と、第１の制御部とを少なくとも備え、上記遠隔指示装置は、第２の通信部と、第２の画像表示部と、操作／指示入力部と、第２の制御部とを少なくとも備える。
【００１１】
第２の制御部は、上記診断者が上記操作／指示入力部から入力した上記探触子の操作方法に関する指示を第２の通信部を介して上記超音波診断装置へ送信する。第１の制御部は、上記探触子の操作方法に関する指示を第１の通信部を介して受信すると、上記指示表示部に文字、数字、符号または記号による表記によって表示させ、当該指示に従って上記被験者が上記探触子を操作することによって上記超音波送受信部で生成された超音波スキャンデータを、第１の通信部を介して上記遠隔指示装置に送信する。第２の制御部は、上記超音波スキャンデータを第２の通信部を介して受信すると、当該データに基づいて超音波画像を生成し第２の画像表示部に表示させる。
【００１２】
指示表示部に視覚的に認識可能な指示を表示することによって、被験者は探触子の操作方法を容易に認識し得、探触子の操作をより迅速に行うことができる。また、符号、記号などを用いてより直観的に認識可能な表示を行うことで、探触子の操作に関する指示をよりわかりやすいものにすることができる。
【００１３】
本発明の遠隔超音波診断システムの好ましい実施形態では、上記遠隔指示装置は第２の記憶部をさらに備え、上記超音波スキャンデータを第２の記憶部に保存する。また、上記超音波診断装置は、上記超音波スキャンデータを保存するための第１の記憶部をさらに備えていてもよい。このようにして、必要なデータを保存することができる。
【００１４】
本発明の遠隔超音波診断システムの好ましい実施形態では、上記指示表示部は、上記探触子上に設けられている。指示表示部を探触子上に設けることによって、被験者の視線が探触子から大きく外れることを抑えることができ、探触子の操作がより確実なものとなる。
【００１５】
本発明の遠隔超音波診断システムの好ましい実施形態では、上記超音波診断装置は、上記超音波送受信部で生成された超音波スキャンデータを超音波画像として表示するための第１の画像表示部をさらに備え、上記指示表示部は、第１の画像表示部と一体化されている。画像表示部と指示表示部とを一体化することによって、被験者は、視線移動を極力抑えながら、画像と指示内容の両方を確認することができる。
【００１６】
本発明の遠隔超音波診断システムの好ましい実施形態では、上記超音波診断装置と上記遠隔指示装置とはインターネットを介してデータ通信可能に接続されている。特に高速通信が可能な回線を用いることによって、リアルタイムの診断がより迅速に、そしてより容易になる。
【００１７】
本発明の遠隔超音波診断システムの好ましい実施形態では、上記探触子は、一次元走査のみが可能な探触子である。それにより、安価で現実的な装置を実現することができる。
【００１８】
本発明の遠隔超音波診断システムの好ましい実施形態では、上記指示表示部は、液晶ディスプレイ、ＣＲＴ等のモニタ、ＬＥＤ、および電球等の発光表示手段によって構成されている。
【００１９】
本発明の遠隔超音波診断システムの好ましい実施形態では、上記探触子の操作方法に関する指示が、光の色の違いによって区別される。
【００２０】
本発明の遠隔超音波診断システムの好ましい実施形態では、上記探触子の操作方法に関する指示が、光の点滅間隔または輝度の違いによって区別される。
【００２１】
このような指示の表示方法によって、被験者はより直観的に指示内容を把握することができる。
【００２２】
本発明の超音波診断システムの好ましい実施形態では、上記超音波診断装置は、さらに探触子位置検出部を備え、第１の制御部は、上記被験者が探触子を移動させながら走査した複数の超音波スキャンデータと、上記探触子位置検出部によって得られた上記探触子の移動量に関するデータとを、第１の通信部を介して上記遠隔指示装置へ送信し、第２の制御部は、上記複数の超音波スキャンデータと上記探触子の移動量に関するデータとを第２の通信部を介して受信すると、これらのデータに基づいて３次元超音波画像を生成し第２の画像表示部に表示させる。
【００２３】
さらに好ましい実施形態では、上記遠隔指示装置の上記操作／指示入力部は、ダミー探触子およびダミー被検体を具備し、第２の制御部は、上記診断者が当該ダミー探触子および当該ダミー被検体を操作することによって入力される信号に従って、上記３次元超音波画像から所望の２次元超音波画像を取得し、当該２次元超音波画像の位置情報から上記探触子の位置情報を取得して、それに基づいて上記探触子の操作方法に関する指示を、第２の通信部を介して上記超音波診断装置へ送信する。
【００２４】
このようにして、診断者による探触子位置の指定がより容易に可能となる。
【００２５】
本発明は別の局面において、遠隔超音波診断に使用するための超音波診断装置を提供する。この超音波診断装置は、遠隔地にある遠隔指示装置とデータ通信を行うための通信部と、被験者に超音波を照射し、反射波を受波するための探触子と、上記探触子に超音波を送信し、上記探触子からのエコー信号を受信して超音波スキャンデータを生成するための超音波送受信部と、上記遠隔指示装置からの指示を文字、数字、符号または記号による表記によって表示するための指示表示部と、上記遠隔指示装置からの指示を上記通信部を介して受信すると、上記指示表示部に表示させ、上記指示に従って上記被験者が上記探触子を操作することによって上記超音波送受信部において生成した超音波スキャンデータを上記通信部を介して上記遠隔指示装置へ送信する、制御部とを備える。
【００２６】
本発明の遠隔超音波診断に使用するための超音波診断装置の好ましい実施形態では、上記指示表示部は、上記探触子上に設けられている。指示表示部を探触子上に設けることによって、被験者の視線が探触子から大きく外れることを抑えることができ、探触子の操作がより確実なものとなる。
【００２７】
本発明の遠隔超音波診断に使用するための超音波診断装置の好ましい実施形態では、上記指示表示部は、液晶ディスプレイ、ＣＲＴ等のモニタ、ＬＥＤ、および電球等の発光表示手段によって構成されている。
【００２８】
本発明の遠隔超音波診断に使用するための超音波診断装置の好ましい実施形態では、上記超音波送受信部で生成された超音波スキャンデータを超音波画像として表示するための画像表示部をさらに備え、上記指示表示部は、当該画像表示部と一体化されている。
【００２９】
このような指示の表示方法によって、被験者はより直観的に指示内容を把握することができる。
【００３０】
本発明はさらに別の局面において、遠隔超音波診断に使用するための遠隔指示装置を提供する。この遠隔指示装置は、遠隔地にある超音波診断装置とデータ通信を行うための通信部と、上記超音波診断装置から送信された超音波スキャンデータを画像として表示するための画像表示部と、診断者が上記画像表示部上での画像の操作を行い、遠隔地にある上記超音波診断装置の探触子の操作方法に関する指示を入力するための、ダミー探触子およびダミー被検体を具備する操作／指示入力部と、上記診断者が上記ダミー探触子および上記ダミー被検体を用いて入力した信号に基づいて、上記探触子の操作方法に関する指示を上記通信部を介して上記超音波診断装置へ送信し、上記超音波診断装置からの上記超音波スキャンデータを上記通信部を介して受信すると超音波画像を生成して上記画像表示部に表示させる、制御部とを備える。
【００３１】
本発明の遠隔超音波診断に使用するための遠隔指示装置の好ましい実施形態では、上記超音波画像は、３次元超音波画像である。
【００３２】
本発明の遠隔超音波診断に使用するための遠隔指示装置の好ましい実施形態では、上記制御部は、上記操作／指示入力部に入力された指示に従って、上記３次元超音波画像から２次元画像を切り出し、当該２次元画像のデータから上記探触子の操作方法に関する指示を生成する。
【００３３】
このようにして、診断者による探触子位置の指定がより容易に可能となる。
【００３４】
本明細書中で用いる「超音波スキャンデータ」という用語は、超音波診断装置が超音波の送受信によって対象物または被験者を走査することによって得る電気信号データのことを意味するものとする。
【発明の効果】
【００３５】
本発明により、超音波診断装置の探触子の操作に関する診断者による指示を、遠隔にある被験者に、わかりやすく伝えることができるため、探触子の操作に熟練していない被験者でも探触子の操作がより容易になる。
【００３６】
本発明により、遠隔超音波診断における診断者の指示が効率的に行い得る。
【００３７】
さらに、本発明は、高価な仕組みを必要とする探触子を必要としないため、遠隔診断用の超音波診断装置を安価で現実的なものとすることができる。
【発明を実施するための最良の形態】
【００３８】
以下、本発明の実施の形態について、図面を参照して説明するが、本発明はこれらの実施形態に限定されない。
【００３９】
（実施の形態１）
図１は、本発明の第１の実施の形態に係る、遠隔超音波診断システムの全体構成を示すブロック図である。図１に示されるように、本発明の遠隔超音波診断システムは、遠隔診断のための超音波診断装置１と、遠隔指示装置２とから構成され、超音波診断装置１と遠隔指示装置２とはインターネット網５１を介して通信可能に接続されている。なお、超音波診断装置１と遠隔指示装置２とは、携帯電話網、無線ＬＡＮなどの無線通信手段を介して通信可能に接続されていてもよい。
【００４０】
超音波診断装置１は、探触子１１、送信ユニット１２、受信ユニット１３、デジタルスキャンコンバータ（ＤＳＣ）１４、画像表示部１５、操作部１６、中央演算処理装置（ＣＰＵ）１７、メモリ１８、通信部１９、および指示表示部２０を備えている。
【００４１】
探触子１１は、被験者内に撮影用超音波を照射し、被験者からの反射波を受波するものであり、圧電素子等の振動子のアレイを備える。探触子１１は、好適には、１次元走査のみを行うことが可能なもので構成されている。
【００４２】
送信ユニット１２は、図示してはいないが、送信トリガ発生器、送信パルス発生器、高耐圧スイッチ（ＨＶ−ＭＵＸ）等を含んでおり、上記振動子を駆動するための送信パルスを発生する。探触子１１を介して被験者内に照射された超音波は、被験者の組織で散乱したエコー信号として再び探触子１１で受信される。
【００４３】
受信ユニット１３は、図示してはいないが、受信アンプ、Ａ／Ｄ変換器、遅延回路、加算器等を含んでいる。探触子１１の振動子毎に受信ユニット１３に出力されるエコー信号は、受信アンプによってチャネル毎に増幅され、Ａ／Ｄ変換器によりＡ／Ｄ変換される。そして、Ａ／Ｄ変換後のエコー信号は、遅延回路により受信指向性を決定するのに必要な遅延時間を与えられ、加算器により加算される。この加算後のエコー信号は、受信指向性に応じた方向からの反射成分が強調されたものとなる。送受信の総合的な超音波ビームは、この送信指向性と受信指向性とにより形成される。さらに加算後のエコー信号は、対数増幅、包絡線検波処理などが施され、エコー信号の強度は、輝度の明るさで表現されたデータとなる。
【００４４】
ＤＳＣ１４は、受信ユニット１３からの出力信号を受け取り、超音波スキャンの走査線信号列から、テレビなどに代表される一般的なビデオフォーマットの走査線信号に変換する。
【００４５】
画像表示部１５は、ＣＲＴモニタ等の表示器から構成され、ＤＳＣ１４で変換された走査線信号を画像として表示する。画像表示部１５は、液晶ディスプレイ等で構成されていてもよい。なお、本発明の遠隔超音波診断システムでは、画像表示部が遠隔指示装置２にも備えられているため、超音波診断装置１の画像表示部１５およびＤＳＣ１４は、必ず必要というわけではない。
【００４６】
操作部１６は、ボタン、タッチパッド、タッチパネル、キーボード、トラックボール、マウス等から構成され、遠隔指示装置２からの指示情報に基づく探触子１１の走査のため、必要なデータを適宜入力するため、またはデータの送信指示や保存指示の入力のため等の操作に用いられる。
【００４７】
ＣＰＵ１７は、操作部１６からの入力情報に基づいて、または予め決められたプログラムに基づいて、装置各部を制御する。
【００４８】
メモリ１８は、ＲＡＭ、ＲＯＭなどで構成され、ＣＰＵ１７の動作に必要なソフトウェアプログラムや、走査線信号のデータ、画像データ等を格納する。
【００４９】
通信部１９は、インターネット網５１との接続を確立するためのインターフェースであり、モデム等から構成される。受信ユニット１３からの出力信号は通信部１９からインターネットを介して遠隔指示装置２へ送信され、また遠隔指示装置２からインターネットを介して送られた指示信号は通信部１９で超音波診断装置１に受信される。また、通信部１９は、携帯電話およびその通信インターフェース、無線ＬＡＮ送受信部などで構成され得る。
【００５０】
指示表示部２０は、探触子１１の操作方法に関する遠隔指示装置２からの指示を、例えば、文字情報としてあるいは画像情報として表示するためのものであり、液晶ディスプレイ、ＣＲＴ等のモニタ、ＬＥＤ、および電球等の発光表示手段で構成され得る。指示表示部２０は、それ自体で独立して設けてられてもよいし、探触子１１と一体化されていても、あるいは画像表示部１５と一体化されていてもよい。画像表示部１５と一体化される場合、超音波診断装置１は、指示と超音波画像とを１フレームに合成し、ビデオ信号として画像表示部１５に出力するための画像合成部（不図示）をさらに備えていてもよい。
【００５１】
一方、遠隔指示装置２は、ＤＳＣ２２、画像表示部２３、操作／指示入力部２４、ＣＰＵ２５、メモリ２６、および通信部２７を備える。
【００５２】
ＤＳＣ２２は、インターネット網５１を介して超音波診断装置１から送られた超音波スキャンによる出力信号を、超音波スキャンの走査線信号列から、テレビなどに代表される一般的なビデオフォーマットの走査線信号に変換する。
【００５３】
画像表示部２３は、ＣＲＴモニタ等から構成され、ＤＳＣ２２で変換された走査線信号を画像として表示する。画像表示部２３は、液晶ディスプレイ等で構成されていてもよい。
【００５４】
操作／指示入力部２４は、ボタン、タッチパッド、タッチパネル、キーボード、トラックボール、マウス、ダミー探触子、またはダミー被検体等から構成され、画像表示部２３に表示された画像データを操作するため、または超音波診断装置１への指示情報、超音波診断のために必要なデータ等を入力するために用いられる。操作／指示入力部２４に入力された指示の内容は、画像表示部２３において表示されるように構成されていてもよいし、別に指示表示部（不図示）のようなものを設けてもよい。
【００５５】
ＣＰＵ２５は、予め設定されたプログラムまたは操作／指示入力部２４からの指示に基づいて、遠隔指示装置２の各部の動作の制御、画像データの解析のための演算等をする。
【００５６】
メモリ２６は、ＲＡＭ、ＲＯＭなどで構成され、プログラムを格納したり、超音波診断装置１から送られた画像データを保存したり、遠隔指示装置２内で解析した画像データを保存したりする。
【００５７】
通信部２７は、インターネット網５１との接続を確立するためのインターフェースであり、モデム等で構成される。操作／指示入力部２４から入力された指示信号は、通信部２７からインターネット網５１を介して超音波診断装置１へ送られ、超音波診断装置１からインターネットを介して送られた超音波スキャンの出力信号等は、通信部２７で遠隔指示装置２に受信される。また、通信部２７は、携帯電話およびその通信インターフェース、無線ＬＡＮ送受信部などで構成され得る。
【００５８】
次いで、本実施形態に係る遠隔超音波診断システムを用いて遠隔診断が行われる際の、超音波診断装置１のＣＰＵ１７および遠隔指示装置２のＣＰＵ２５の動作を、図２および図３を参照しながら説明する。
【００５９】
図２は、遠隔指示装置２のＣＰＵ２５の処理動作を示すフローチャートである。超音波診断装置１および遠隔指示装置２がオンの状態で、互いに通信可能にインターネット接続が確立し、超音波診断装置１側の被験者および遠隔指示装置２側の診断者が診断開始の準備ができると、診断者は、遠隔指示装置２の操作／指示入力部２４により診断開始指示を入力する。このような指示は、例えば、スタートボタンを設けてそれを診断者が押すことによって、診断開始信号が超音波診断装置１へ送信されるようにすることができる。あるいは、モニタ上のスタートアイコンをクリックしたり、タッチパネル上のスタートボタンに触れたりすることによって入力するように構成することもできる。
【００６０】
診断開始指示が操作／指示入力部２４より入力されることによって、図２に示すＣＰＵ２５の処理がスタートする。ＣＰＵ２５は、診断開始指示が入力されると、ステップＳ１１で通信部２７を介して診断開始信号を超音波診断装置１へ送信する。次いで、Ｓ１２において、操作／指示入力部２４を介しての診断者による探触子の配置または操作方法に関する指示の入力の有無を判断する。指示の入力があった場合（Ｓ１２：ＹＥＳ）、ステップＳ１３において、通信部２７を介して超音波診断装置１へその指示を送信する。
【００６１】
探触子の配置または操作方法に関する最初の指示は、例えば、探触子を被験者の身体のどの位置に当てるかについてのものであり得る。遠隔指示装置２の操作／指示入力部２４に入力された指示は、超音波診断装置１の指示表示部２０に、例えば、「探触子を右腹部に当ててください」のように文字により表示され得る。このような指示の入力は、診断者が、操作／指示入力部２４を構成するキーボードを用いて直接タイピングしてもよいし、あるいはボタンもしくはタッチパネル等で患部位置を選択し得るようにして、それに対応した指示内容が超音波診断装置１の指示表示部２０に表示されるようにプログラムにより構成されていてもよい。なお、表示方法は、文字表示に限定されず、絵を用いるなど他の表示方法でもよいことはもちろんである。
【００６２】
図３は、超音波診断装置１のＣＰＵ１７の行う処理動作を示すフローチャートである。図３に示すＣＰＵ１７の処理は、遠隔指示装置２からの診断開始信号を超音波診断装置１が通信部１９を介して受信することによってスタートする。次いで、ステップＳ２１において、遠隔指示装置２からの探触子の配置または操作方法に関する指示が受信されたか否かを判断する。受信された場合（ステップＳ２１：ＹＥＳ）、ステップＳ２２でその指示を指示表示部２０に表示する。このような指示は、上記のように、例えば、「探触子を右腹部に当ててください」のような文字表示であり得る。
【００６３】
被験者は、指示表示部２０に表示された指示に従って、探触子を患部付近に置き、超音波スキャンを開始する。超音波スキャンの開始は、被験者が超音波診断装置１の操作部１６を操作することによって行い得る。超音波診断装置１のＣＰＵ１７は、ステップＳ２３で、超音波スキャン開始の指示が操作部１６から入力されたか否かを判断する。入力された場合、ステップＳ２４でスキャンを開始し、ステップＳ２５で超音波画像を画像表示部１５に表示し、そして画像データを通信部１９によりインターネット網５１を介して遠隔指示装置２へ送信する。スキャンにより得られた画像は、超音波診断装置１のメモリ１８に適宜格納し得る。すなわち、ステップＳ２７において、画像を保存するか否かを判断する。これは、例えば、画像表示部１５の画面に、「画像を保存しますか？」のようなメッセージが表示されるようにし、被験者が操作部１６を用いて画像を保存するか否かを選択し得るように構成され得る。画像を保存する指示が入力された場合（ステップＳ２７：ＹＥＳ）、ＣＰＵ１７は、画像データをメモリ１８に保存する。保存しない場合（ステップＳ２７：ＮＯ）、画像データを保存せずに、ステップＳ２９へ進む。なお、ステップＳ２７およびＳ２８は、ステップＳ２５の直前に設けてもよい。また、ステップＳ２７のような判断ステップを設けずに、全ての画像を保存するように構成してもよい。
【００６４】
再び図２を参照して、遠隔指示装置２のＣＰＵ２５は、ステップＳ１４において、超音波診断装置１からの画像データを通信部２７を介して受信したか否かを判断する。受信した場合（ステップＳ１４：ＹＥＳ）、ステップＳ１５において受信した画像データを画像として画像表示部２３に表示する。診断者は、画像表示部２３に表示された超音波診断画像を見ながら被験者の診断を行う。
【００６５】
ステップＳ１６において、遠隔指示装置２のＣＰＵ２５は、画像を保存するか否かを判断する。これは、例えば、画像表示部２３の画面に、「画像を保存しますか？」のようなメッセージが表示されるようにし、診断者が操作／指示入力部２４を用いて画像を保存するか否かを選択し得るように構成され得る。画像を保存する指示が入力された場合（ステップＳ１６：ＹＥＳ）、ステップＳ１７において画像をメモリ２６に保存する。保存しない場合（ステップＳ１６：ＮＯ）、画像を保存せずにステップＳ１８に進む。なお、ステップＳ１６およびＳ１７は、ステップＳ１５の直前にあってもよい。また、ステップＳ１６のような判断ステップを設けずに、全ての画像を保存するように構成してもよい。
【００６６】
次いで、ステップＳ１８において、遠隔指示装置２のＣＰＵ２５は、診断終了指示の有無を判断する。診断者は、画像表示部２３に表示された画像が診断を行うのに十分であると判断した場合には、その時点で診断を終了することができる。診断を終了する場合は、操作／指示入力部２４から診断終了指示を入力すればよい。ＣＰＵ２５は、診断終了指示が入力された場合（ステップＳ１８：ＹＥＳ）、ステップＳ１９において診断終了信号を通信部２７を介して超音波診断装置１へ送信した後、処理を終了する。
【００６７】
表示された画像が、診断を行うのに十分ではなく、さらに別の部位、角度等の超音波画像が必要である場合には、診断者は、遠隔指示装置２の操作／指示入力部２４から、探触子の配置または操作方法に関する新たな指示を入力することができる。この場合の指示の方法については、後述する。遠隔指示装置２のＣＰＵ２５は、診断終了指示が入力されない場合（ステップＳ１８：ＮＯ）、再びステップＳ１２に戻る。ステップＳ１２において、ＣＰＵ２５は再び探触子の配置および操作方法に関する指示が入力されたか否かを判断する。新たな指示が入力された場合（ステップＳ１２：ＹＥＳ）、ステップＳ１３に進んで、その指示を通信部２７を介して超音波診断装置１に送信する。以下、上記と同様である。
【００６８】
図３に戻って、超音波診断装置１のＣＰＵ１７は、通信部１９により遠隔指示装置２からの診断終了信号を受信した場合（ステップＳ２９：ＹＥＳ）、処理を終了する。それ以外の場合は、ステップＳ２１に戻って、探触子の配置／操作方法に関する指示を待つ。新たな指示を受信した場合（ステップＳ２１：ＹＥＳ）、ステップＳ２２に進んでその指示を指示表示部２０へ表示する。以下、上記と同様である。
【００６９】
ここで、探触子の配置／操作方法に関する指示の方法および指示の表示方法についてさらに説明する。
【００７０】
図４は、超音波診断装置１の指示表示部２０の非限定的な例の模式図である。図４では、指示表示部２０は、画像表示部１５と一体化されている。表示部のフレーム内の扇型の部分は、超音波診断画像の表示部分である。診断開始時の最初の指示は、探触子を当てる位置を、例えば、「右腹部」のように大まかに指示するものである。しかしながら、２回目以降の指示は、さらに細かく、例えば、「探触子を２ｃｍ上へ移動してください」とか、「探触子を左へ傾けてください」のようになるはずである。このような指示は、例えば、診断者が、操作／指示入力部２４において、キーボードを使用して直接タイピングしてもよいが、タッチパッド、トラックボール、ダミー探触子およびダミー被検体などを用いて探触子の位置の移動や角度の調整の指示を入力できるようにすると好適である。その場合、タッチパッド、トラックボール、ダミー探触子などの操作による出力信号は、指示情報（例えば、「上に２ｃｍ移動」のような文字表示、またはＬＥＤでの矢印表示）に変換されるようにプログラムにより構成され得る。
【００７１】
遠隔指示装置２に入力された指示の内容は、超音波診断装置１の指示表示部２０に、例えば、図４（ａ）および（ｃ）に示すように、文字、数字、または符号による表記によって示すことができる。あるいは、記号と視覚的要素を用いて、例えば、図４（ｂ）のようにＬＥＤを使った矢印型の発光部によって、より直観的に認識し易いように示すこともできる。
【００７２】
図４（ａ）〜図４（ｃ）に示す指示表示方法で、直観的に認識しやすくする目的において、例えば、方向を色で表すことも有効である。また、矢印などで表示する場合において、移動の大きさなどを発光部の点滅の間隔や点滅の輝度などを変えることで直観的に認識し易くしてもよい。
【００７３】
なお、音声などを用いた指示方法や、バイブレーションなどの触覚によって認識し得る指示手段を用いた指示方法などの他の指示方法も、上記の視覚的に認識し得る表示方法と併用してよいことはもちろんである（以下の実施形態でも同様）。
【００７４】
（実施の形態２）
図５および図６は、本発明の第２の実施の形態に係る遠隔超音波診断システムにおいて使用する、指示表示部２０と一体化した探触子１１の非限定的な例の外観を示す模式図である。図中、超音波診断装置本体と探触子１１とをつなぐ配線は省略されている。本実施形態に係る遠隔超音波診断システムの全体構成は、図１に示したものと基本的に同じであるが、指示表示部２０が探触子１１上に設けられていることに特徴がある。
【００７５】
図５に示す探触子１１上には、指示表示部２０の一形態として、ＬＥＤで構成された矢印型の発光部２０ａ〜２０ｆが設置されている。
【００７６】
被験者に要求される動作としては、探触子を並行移動する、回転させる、あおり角を変えるなどがあるが、例えば、探触子１１を図５の左手前に並行移動させる場合、発光部２０ａと２０ｅが点灯する。また、探触子１１を探触子１１から体表に向かって時計周りに回転させたい場合は発光部２０ｂと２０ｅが点灯する。さらに探触子１１を図５の左手前方向に倒す場合には発光部２０ｃが点灯する。このような構成にすることによって、被験者は、診断者からの指示をより直観的に捉えられ、また、視線を探触子１１に向けながら指示を得ることができるため、探触子１１の操作が容易になる。
【００７７】
さらには、実施の形態１に記載したように、発光表示手段を点滅させ、その時間間隔を変えたり、点滅の輝度を変えたりすることによって、探触子１１の移動方向や移動の大きさを指示できるようにしてもよい。それによって、被験者は、指示をより直観的に認識し得、探触子１１のより容易な操作が可能となる。
【００７８】
また、図６のように指示表示部２０としてＬＥＤ発光部２０ａ〜２０ｆだけでなく、文字盤２００を設けることで、さらに探触子１１の操作方法に関する指示をわかりやすく示すこともできる。
【００７９】
また、図６に示すもののように文字盤とＬＥＤの混在でなく、文字盤を１つもしくはそれ以上設けてもよい。
【００８０】
このようにして、被験者に対する診断者の指示を、被験者が認識しやすいものにすることができ、その結果、遠隔超音波診断を効率的に行うことができる。
【００８１】
（実施の形態３）
図７は、本発明の第３の実施の形態に係る、遠隔超音波診断システムの全体構成を示すブロック図である。図７に示されるように、本実施形態の遠隔超音波診断システムは、遠隔診断のための超音波診断装置３と、遠隔指示装置４とから構成され、超音波診断装置３と遠隔指示装置４とはインターネット網５１を介して通信可能に接続されている。なお、超音波診断装置３と遠隔指示装置４とは、携帯電話網、無線ＬＡＮなどの無線通信手段を介して通信可能に接続されていてもよい。
【００８２】
図７に示す遠隔超音波診断システムは、図１に示した第１の実施形態の遠隔超音波診断システムと、基本的には似ているが、超音波診断装置３が、探触子位置検出部３１をさらに備えている点において異なる。さらに、図７に示す遠隔超音波診断システムの遠隔指示装置４の操作／指示入力部４４は、図８および図９に示すようなダミー探触子およびダミー被検体から構成されているところに特徴がある。
【００８３】
探触子位置検出部３１は、探触子１１上に設置されており、探触子１１の移動を検知し得るエンコーダ等で構成されている。探触子位置検出部３１は、探触子１１の移動に伴って、探触子１１の移動量に関連する信号を出力する。探触子１１には位置情報を得るエンコーダの他に探触子１１の回転方向を検知するエンコーダ、探触子１１のあおり角度を検知する角度検知器も内蔵もしくは付加されており、探触子１１の回転および傾きに関連するデータを出力する。
【００８４】
図８は、本発明の第３の実施の形態に係る遠隔超音波診断システムにおいて、遠隔指示装置４の操作／指示入力部４４を構成するダミー探触子４４ａおよびダミー被検体４４ｂを示す模式図である。図９は、ダミー探触子４４ａのある走査面に対応する断面で３次元画像から２次元画像が切り取られる様子を、模式的に示した図である。
【００８５】
ダミー探触子４４ａはダミー探触子４４ａのＸＹ平面上を自由に移動できるとともに、そのＸ、Ｙ方向の位置情報Ｐｘ，Ｐｙを位置センサで検出でき、位置情報はＣＰＵ４５に出力される。また、ダミー探触子４４ａはＸＹ方向、ＸＺ方向、ＹＺ方向に傾けることができ、傾き情報θx、θy、θzはジャイロのようなセンサ（不図示）を用いて検出することができる。検出された傾き情報はＣＰＵ４５に出力される。ＣＰＵ４５は、これらの位置情報、傾き情報をもとに指定された断面をメモリ４６に格納された超音波スキャンデータに基づく３次元画像から切り取り、２次元画像を出力する。この動作は、ダミー探触子４４ａおよびダミー被検体４４ｂを用いて、図９に示されるようにダミー探触子４４ａの走査面にあたる断面で２次元画像を切り取り、この断面を出力することによって行い得る。
【００８６】
本実施形態に係る遠隔超音波診断システムを用いて遠隔診断を行う場合の診断者および被験者の操作手順は、実施の形態１および２について上記で説明したものと基本的に似ているが、診断者が３次元画像を見ながら診断を行う点で異なっている。以下、相違点に焦点を当てて説明する。
【００８７】
被験者は、まず、探触子を患部付近に当てるようにという最初の指示を受けると、探触子１１を患部付近に当て、スキャンを開始するが、その際、スキャンを行いながら探触子１１を平行移動させる。このようにして、複数の画像を取得することができる。探触子１１上に設置された探触子位置検出部３１は、探触子１１の移動とともに探触子１１の位置情報を含むデータを取り込み、出力する。
【００８８】
超音波診断装置３のＣＰＵ３７は、図３のステップＳ２６に対応するステップにおいて、複数の画像データを遠隔指示装置４に送信するとともに、探触子位置検出部３１から出力された探触子１１の位置情報（移動量）に関するデータもあわせて遠隔指示装置４に送信する。
【００８９】
遠隔指示装置４では、図２のステップＳ１４に対応するステップにおいて、画像データとともに探触子１１の位置に関するデータを受信する。受信されると、遠隔指示装置４のＣＰＵ４５は、上記超音波診断装置３からの複数の画像の走査データおよび探触子１１の位置情報とに基づいて３次元画像を生成し、画像表示部２３に表示する。
【００９０】
診断者は、操作／指示入力部４４として上記ダミー探触子４４ａおよびダミー被検体４４ｂを用いて、画像表示部２３を見ながら表示された３次元画像から所望の２次元断層像を切り出し、上記超音波スキャンにより得られた画像データおよび探触子位置検出部３１から出力された探触子位置データに基づいて、この２次元断層像を得るための探触子１１の位置情報を得る。このような３次元画像からの２次元断層像の切り出しは、ＣＰＵ４５によって、メモリ４６に予め格納されたプログラムにより実現し得る。
【００９１】
得られた探触子１１の位置情報は、図２のステップＳ１３に対応するステップにおいて、探触子１１の操作方法に関する指示として超音波診断装置３に送信される。送信された探触子１１の位置情報は、図３のステップＳ２２に対応するステップにおいて、探触子１１の操作方法に関する指示として指示表示部２０に表示される。
【００９２】
２次元断層像の位置情報からの探触子１１の位置情報の取得、および探触子１１の位置情報から探触子１１の操作方法に関する指示への変換などの処理は、プログラムにより実現し得る。これはＣＰＵ３７もしくはＣＰＵ４５によって処理され得る。
【００９３】
本実施形態の遠隔超音波診断システムにより、診断者の指示操作がより容易になる。
【００９４】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００９５】
本発明は上記例示的な実施の形態より明らかなように、遠隔診断の被験者に対し、数値、矢印などの手法を用いて探触子の位置を指示することで、短時間で効率よく所望の超音波診断画像を得ることができ、また、従来の方式に比べ安価に遠隔超音波診断を実現することができるため、リアルタイムで遠隔診断を行う超音波診断システムとしての用途に適している。
【図面の簡単な説明】
【００９６】
【図１】本発明の第１の実施の形態に係る遠隔超音波診断システムの全体構成を示すブロック図
【図２】遠隔指示装置２のＣＰＵ２５の処理動作を示すフローチャート
【図３】超音波診断装置１のＣＰＵ１７の行う処理動作を示すフローチャート
【図４】超音波診断装置１の指示表示部２０の非限定的な例の模式図
【図５】本発明の第２の実施の形態に係る遠隔超音波診断システムにおいて使用する、指示表示部２０と一体化した探触子１１の非限定的な例の外観を示す模式図
【図６】本発明の第２の実施の形態に係る遠隔超音波診断システムにおいて使用する、指示表示部２０と一体化した探触子１１の非限定的な例の外観を示す模式図
【図７】本発明の第３の実施の形態に係る、遠隔超音波診断システムの全体構成を示すブロック図
【図８】本発明の第３の実施の形態に係る遠隔超音波診断システムにおいて、遠隔指示装置４の操作／指示入力部４４を構成するダミー探触子４４ａおよびダミー被検体４４ｂを示す模式図
【図９】ダミー探触子４４ａのある走査面に対応する断面で３次元画像から２次元画像が切り取られる様子を、模式的に示した図
【図１０】特許文献１の遠隔診療に用いられる超音波診断装置を示すブロック図
【符号の説明】
【００９７】
１，３  超音波診断装置
１１  探触子
１２  送信ユニット
１３  受信ユニット
１４  ＤＳＣ
１５  画像表示部
１６  操作部
１７，３７  ＣＰＵ
１８，３８  メモリ
１９  通信部
２，４  遠隔指示装置
２０  指示表示部
２００  文字盤
２０ａ〜２０ｆ  ＬＥＤ発光部
２２  ＤＳＣ
２３  画像表示部
２４，４４  操作／指示入力部
２５，４５  ＣＰＵ
２６，４６  メモリ
２７  通信部
３１  探触子位置検出部
４４ａ  ダミー探触子
４４ｂ  ダミー被検体
【図１】
2006115986.tif 000003
【図２】
2006115986.tif 000004
【図３】
2006115986.tif 000005
【図４】
2006115986.tif 000006
【図５】
2006115986.tif 000007
【図６】
2006115986.tif 000008
【図７】
2006115986.tif 000009
【図８】
2006115986.tif 000010
【図９】
2006115986.tif 000011
【図１０】
2006115986.tif 000012